(57)【要約】【課題】限られた電源しか持たないレンズ付きフイルムユニットにおいて、突入電流を回避し、被写体輝度によって生成された光電流を判定する測光装置を提供する。【解決手段】測光装置は被写体の輝度を光電電流に変換するＳＰＤ１２と、電池４９からの電流をＯＮ／ＯＦＦ切り替えする測光スイッチ１００と、測光制御ＩＣとから構成されており、この測光制御ＩＣはタイマ回路１０４と、スイッチングトランジスタ１１４と、測光回路１０２とからなっている。測光スイッチ１００がＯＮすることにより発生した突入電流はタイマ回路１０４に流れ、コンデンサ１１０が飽和するとスイッチングトランジスタ１１４のベース電流が絶たれて動作が停止し、これに連動して光電流が増幅回路１０６に流れ、動作が開始される。増幅回路１０６から出力される測光信号は判定回路１０８で判定され、所定の値より小さいときはソレノイド１１８が通電する。【選択図】        図４
2004294715.tif 000002
【特許請求の範囲】
【請求項１】
シャッタボタンの押圧動作によってオン動作する電源スイッチと、電源スイッチを介して電池からの駆動電圧の供給を受け、被写体輝度に応じた光電流を出力する測光素子と、この測光素子からの光電流を増幅して測光信号を出力する増幅回路と、増幅回路からの測光信号に基づいて被写体輝度のレベル判定を行う判定回路と、前記測光スイッチのオン動作に応答して一定時間を計時するタイマー回路と、このタイマー回路が前記一定時間を計時している間は測光素子からの光電流が増幅回路に入力されることを禁止するスイッチング回路とを備えたことを特徴とする測光装置。
【請求項２】
シャッタボタンの押圧動作によってオン動作する電源スイッチと、電源スイッチを介して電池からの駆動電圧の供給を受け、被写体輝度に応じた光電流を出力する測光素子と、この測光素子からの光電流を増幅して測光信号を出力する増幅回路と、増幅回路からの測光信号に基づいて被写体輝度のレベル判定を行う判定回路と、前記測光スイッチのオン動作に応答して一定時間を計時するタイマー回路と、このタイマー回路が前記一定時間を計時している間は前記増幅回路又は判定回路の少なくともいずれかの動作を禁止するスイッチング回路とを備えたことを特徴とする測光装置。
【発明の詳細な説明】
【０００１】
【発明の属する技術分野】
本発明は、測光装置に関し、詳しくはレンズ付きフイルムユニットなどの簡易なローコストタイプのカメラに好適な測光装置に関するものである。
【０００２】
【従来の技術】
【特許文献１】
特開２００１−２１５５４７号公報
【特許文献２】
特開２００１−３３７３６２号公報
【０００３】
レンズ付きフイルムユニットや、例えばフイルム巻き上げを手動で行うようにしたローコストタイプのカメラは、その製造コストを抑えるためにシャッタに蹴飛ばし型のものを用いたり、電気的な構成にしても簡単なストロボ回路を組み込んだだけのものがほとんどである。このような簡易型のカメラであっても、被写体輝度の高低に対応した露出調節ができるように、自動絞り切り替え装置を組み込んだものが知られている（特許文献１参照）。
【０００４】
特許文献１記載の絞り切り替え装置は、小絞り開口が形成された絞り板を撮影光路に挿脱することによって２段階に絞り切り替えを行うようにしており、初期状態では撮影光路に挿入された位置に絞り板が機械的に係止されている。シャッタボタンを押圧操作するとシャッタ機構のメカニカルな係止が解除され、遅延装置による一定時間の遅延の後に蹴飛ばし型のシャッタ羽根が開閉して露光が行われる。遅延装置による遅延動作の間に、測光回路に電源を供給して被写体輝度の測定を開始させる測光スイッチがオンして測光が行われ、測光結果に応じて絞り板を初期状態のままにしておくかあるいは撮影光路から退避するかの判定が行われ、被写体輝度が一定レベル未満であるときにはこの判定が保持され、絞り板が撮影光路内から退避される。
【０００５】
測光素子で生成される光電流が一定レベル以上であると判定されたときには、この判定が保持され、絞り板は初期状態のままでシャッタ羽根の開閉動作が行われるが、この光電流が一定レベル未満であると判定されたときには、この判定結果が保持されて、ソレノイドが駆動される。ソレノイドが駆動されると絞り板のメカニカルな係止が解除され、絞り板はバネ付勢により撮影光路内から退避される。絞り板を撮影光路内から退避させて撮影が行われたときには、フイルム巻き上げ操作に連動して絞り板を初期位置に戻し、さらにメカニカルな係止を行うことによって次回の撮影の待機状態が得られる。
【０００６】
このような絞り切り替え装置によれば、シャッタボタンを押圧操作した後の機械的な連動の過程で測光及び絞り切り替えが順次に行われるので、電気的なシーケンス監視回路や記憶回路が不要で測光回路やソレノイド駆動回路などの回路系の構成が簡単になり、また絞りの切り替えが完了する前にシャッタ羽根が開閉するといった問題も生じることがない。また、絞り板の撮影光路からの退避もバネ付勢で行われ、ソレノイドは機械的な係止を解除するために瞬間的に駆動されるだけなので、ソレノイドも小型のもので済み、また、限られた電源電池の消耗を防ぐ上でも非常に効果的である。
【０００７】
ところで、環境問題などの面から、測光素子に例えばアモルファスシリコンフォトダイオードなどのフォトダイオードを用いることが知られている（特許文献２参照）。一般にフォトダイオードから得られる光電流は非常に小さいので、通常のコンパクトカメラなどではオペアンプを併用することが多いが、電源に１．５Ｖの乾電池一個を用いたレンズ付きフイルムユニットなどではオペアンプを動作させることはできない。この点、特許文献２では、ＦＥＴの利用によりこれに対処している。
【０００８】
【発明が解決しようとする課題】
ところが、上記のようなフォトダイオードやＳｉ型太陽電池、Ｓｉ型アモルファス太陽電池などの測光素子では、電源電圧を印加した瞬間に過渡現象として過大な突入電流が流れることが知られている。この突入電流は、これらの素子自体がもつ容量成分によって発生するもので、その時点での被写体輝度とは無関係な出力となる。特許文献１で知られるような簡略化された絞り切り替え装置では、測光スイッチがＯＮした直後に出力される突入電流が、被写体輝度が高いときに得られる光電流として一旦、判定されると、この判定結果が、以降、保持されてしまう。このために、ソレノイドが駆動されず、これによって絞り板が挿退避されず、小絞りのまま撮影を行わなくてはならず、本来の被写体が暗かった場合は大幅な露光アンダーとなることが避けられない。
【０００９】
また、被写体が明るいと判定され、この結果、ソレノイドが通電することにより、大絞りから小絞りへと切り替わる絞り板の駆動機構を有するレンズ付きフイルムユニットにおいても、一旦、判定されるとこの判定が保持されるため、突入電流によって被写体を明るいと判定してしまうと、この判定が保持され、このためにソレノイドが駆動して小絞りとなり、本来の被写体が暗い場合は大幅な露出アンダーとなってしまう。
【００１０】
本発明は上記の事情に鑑みてなされたものであり、測光装置をＯＮするスイッチのほかにあらかじめ測光素子に電源供給を行う電源スイッチを付加することなく、簡単な回路構成のままで電力投入時に測光素子から出力される突入電流の判定を回避して、被写体輝度によって発生した光電流を判定することができるようにした測光装置を提供することを目的とする。
【００１１】
【課題を解決するための手段】
上記目的を達成するために、本発明の測光装置では、シャッタボタンの押圧動作によってオン動作する電源スイッチと、電源スイッチを介して電池からの駆動電圧の供給を受け、被写体輝度に応じた光電流を出力する測光素子と、この測光素子からの光電流を増幅して測光信号を出力する増幅回路と、増幅回路からの測光信号に基づいて被写体輝度のレベル判定を行う判定回路と、前記測光スイッチのオン動作に応答して一定時間を計時するタイマー回路と、このタイマー回路が前記一定時間を計時している間は測光素子からの光電流が増幅回路に入力されることを禁止するスイッチング回路とを備えるようにした。
【００１２】
また、シャッタボタンの押圧動作によってオン動作する電源スイッチと、電源スイッチを介して電池からの駆動電圧の供給を受け、被写体輝度に応じた光電流を出力する測光素子と、この測光素子からの光電流を増幅して測光信号を出力する増幅回路と、増幅回路からの測光信号に基づいて被写体輝度のレベル判定を行う判定回路と、前記測光スイッチのオン動作に応答して一定時間を計時するタイマー回路と、このタイマー回路が前記一定時間を計時している間は前記増幅回路又は判定回路の少なくともいずれかの動作を禁止するスイッチング回路とを備えるようにした。
【００１３】
【発明の実施の形態】
以下、本発明をレンズ付きフイルムユニットに用いた第１実施例について説明する。図１に示すように、レンズ付きフイルムユニット２の前面には、被写体を結像する撮影レンズ４、背面に備えられた接眼ファインダから被写体を覗くための対物ファインダ６、被写体に向けて投光するストロボ発光部８、ストロボの電源をＯＮ／ＯＦＦ切り替えする切り替えつまみ１０、被写体の輝度から光電流を生成するシリコンフォトダイオード（以降、ＳＰＤと省略する）１２が設けられている。
【００１４】
レンズ付きフイルムユニット２の上面には、押圧操作して撮影を実行するシャッタボタン１５、撮影した枚数を確認するためのカウンタ窓１７、ストロボを発光させるための充電状態を表示するライトガイド２０が露呈している。また、レンズ付きフイルムユニット２の背面側には、写真フイルムを１コマ巻き上げするための巻き上げノブ２２の一部が露呈している。
【００１５】
図２に示すように、レンズ付きフイルムユニット２は、土台となる本体基部２５、シャッタ羽根６２、レンズユニット２７、ストロボユニット２９、ＡＰＳタイプの写真フイルム３２と写真フイルムを収納するフイルムカートリッジ３４、及びこれらを覆って保護する前カバー３６と後カバー３８とから構成される。本体基部２５には、写真フイルムの露光範囲を決定するアパーチャ（図示省略）と、写真フイルム３２を収めるフイルム室４２と、フイルムカートリッジ３４を収納するフイルムカートリッジ室４３とが形成されている。フイルムカートリッジ室４３の上部には巻き上げノブ２２が備えられ、巻き上げノブ２２を回すことにより写真フイルムの１コマ巻き上げを行い、シャッタチャージが行なわれる。
【００１６】
ストロボユニット２９は、本体基部２５のアパーチャとフイルム室４２との間に装着される。ストロボユニット２９は、回路基板４７にストロボ発光部８を組み付けたものであり、単３電池４９を電源としてストロボ発光部８から発光する。この発光のための充電動作は、使用者が切り替えつまみ１０をスライド移動させることで開始される。使用者がシャッタボタン１５を押圧すと、シンクロスイッチ５４が互いに接触し、充電動作によって蓄えられた電力を基にして、ストロボ発光部８が発光する。
【００１７】
レンズユニット２７は、本体基部２５に組み付けられ、撮影レンズ４からアパーチャに至るまでを光密に保っている。本体基部２５の上部には、巻き上げノブの１コマ巻き上げに対応して１歩進する回転板５５が備えられており、カウンタ窓１７を通して回転板５５が示す撮影枚数を覗くことができるようになっている。
【００１８】
また、ストロボユニット２９の回路基板４７には、ＳＰＤ１２と、測光スイッチ１００と、測光制御ＩＣ５７とを有する測光装置が実装されている。被写体の輝度はＳＰＤ１２における光電変換により、その輝度に応じた光電流に変換される。この生成された光電流を基にして、測光制御ＩＣ５７で被写体の輝度の判定が行われ、この判定により後述するソレノイドに電流が流れ、レンズユニット２７に備えられた絞り板が切り替わる。
【００１９】
図３に、本体基部２５にレンズユニット２７を組み付け、絞りの動作とシャッタ羽根の動作とを説明する説明図を示す。レンズユニット２７は、レンズユニットベース６３、レンズユニットカバー６４、絞り板６８等から構成されており、本体基部２５の暗箱６０にはシャッタ開口７０が形成されている。また、絞り板６８には小絞り用の小絞り穴６８ａが形成されている。
【００２０】
暗箱６０の上側には、巻き上げノブ２２を係止させる巻き止めレバーと、下部にスプロケットを備え、シャッタチャージ時に巻き止めレバーによって係止されるカム部材と、スイッチギヤと噛み合い、シャッタチャージ時に巻き止めレバーによって係止されるディレイレバーと、遅延機構の一部であり、ディレイレバーの移動に応じて回動して測光スイッチ１００をオンするスイッチギヤと、ディレイレバーが所定量移動した後に回動を開始するシャッタ駆動レバー等から構成されるシャッタ機構が設けられている。シャッタ駆動レバーはチャージ位置とレリーズ位置との間を回動可能に設けられており、バネによりレリーズ位置に付勢されている。
【００２１】
写真フイルムの１コマ巻き上げの完了とともにシャッタチャージが行なわれる。シャッタチャージ時は、巻き上げノブ２２とカム部材とが巻き止めレバーによって係止され、チャージ位置とレリーズ位置との間で移動可能なディレイレバーはチャージ位置で巻き止めレバーと係止する。シャッタ駆動レバーはディレイレバーによってバネ（図示省略）の付勢に反してチャージ位置まで回動し、チャージ位置に保持される。
【００２２】
シャッタボタン１５を押圧すると、巻き止めレバーが押されてディレイレバーの係止が解除され、ディレイレバーはレリーズ位置に向かって移動する。ディレイレバーの移動に伴ないスイッチギヤが回動して測光スイッチがＯＮされ、測光装置に電源が投入され、被写体輝度の測光が開始される。測光の結果に基づいて絞りの切り替わりが行なわれた後、ディレイレバーの所定量の回転に応じて、シャッタ駆動レバーが解放されてチャージ位置からレリーズ位置まで移動する。シャッタ駆動レバーがレリーズ位置まで移動する間にシャッタ羽根６２が蹴飛ばされる。蹴飛ばされたシャッタ羽根６２は、シャッタ開口７０を塞ぐ閉じ位置からシャッタ開口７０を開ける開き位置に往動し、バネの付勢力により開き位置から閉じ位置まで復動する。
【００２３】
レンズユニットベース６３とレンズユニットカバー６４との間には、撮影レンズ４、固定絞り枠６５、絞り板６８などが組み込まれ、絞り板６８を出し入れさせるための挿入用開口が形成されている。絞り板６８には小絞り穴６８ａが形成されており、絞り板６８は、挿入用開口に挿入した挿入位置と、挿入用開口から退避した退避位置との間を移動可能であり、バネによって挿入位置に付勢されている。絞り板６８が挿入位置にあるときは、小絞りの状態が実現される。また、被写体輝度の測光の結果、被写体が暗いと判定されたときは、絞り板６８は退避位置に移動する。これにより写真フイルムへの露光は、固定絞り枠６５を通して行われるようになる。この固定絞り枠６５によって大絞りの状態が実現されている。
【００２４】
巻き上げノブ２２を回してシャッタチャージを行った後、シャッタボタン１５を押下すると、ディレイレバーが移動を開始して、これに伴なってスイッチギヤが回動し、測光スイッチがオンされる。測光スイッチがオンされると後述する測光回路の動作が開始され、被写体の輝度が判定される。判定の結果、被写体が暗いと判定された場合は、ソレノイド１１８が通電して絞り板駆動機構が作動し、絞り板６８が挿入位置から退避位置に移動し、大絞りの状態となる。被写体輝度が明るいと判定された場合は、絞り板６８は退避せず、小絞りの状態のままである。絞り板６８が退避するのに十分な時間が経過した後、シャッタ駆動レバーがシャッタ羽根６２を蹴飛ばし、これによってシャッタ羽根６２が往復動作する間に、シャッタ開口７０を通して写真フイルムへの露光が行われる。
【００２５】
絞り板駆動機構は、ストッパ７３と絞り板切り替えレバーとからなっている。ソレノイド１１８が通電すると、ソレノイドに挿通されたプランジャ１１８ａがソレノイドの内部に引き込まれ、ストッパ７３が回動する。これに伴い絞り切り替えレバー７５が回動して絞り板６８を押し、これにより絞り板６８は挿入位置から退避位置に移動する。ソレノイド１１８は回路基板４７と接続し、回路基板４７に設けられた測光制御ＩＣ５７によって通電が制御されており、被写体輝度が暗いと判定されたときにソレノイドが通電して、プランジャ１１８ａがソレノイドの内部に移動する。また、被写体輝度が明るいと判定されたときは、ソレノイドは通電せず、プランジャ１１８ａも動かない。
【００２６】
次に、ソレノイドの通電を制御する測光装置について図４を用いて説明する。測光装置は、光電流を発生するＳＰＤ１２と、電源を投入する測光スイッチ１００と、被写体輝度を判定する測光制御ＩＣ５７とを有している。測光制御ＩＣ５７は、被写体輝度を判定する測光回路１０２と、測光スイッチ１００がＯＦＦからＯＮに切り替わり測光が開始されるときから所定の時間だけＳＰＤ１２で生成された電流を流すタイマ回路１０４と、スイッチングトランジスタ１１４とからなっている。測光回路１０２は、増幅回路１０６と、判定回路１０８とからなり、増幅回路１０６は増幅トランジスタによって構成されており、光電流の増幅を行い、判定回路１０８に測光信号を出力している。判定回路１０８は測光信号の判定を行っており、この判定の結果を基にして駆動回路１１７に含まれたソレノイド１１８が通電する。一旦、ソレノイド１１８の通電が開始されるとラッチ回路（図示省略）によりこの状態が保持されるようになっており、このため通電が開始された以降に被写体の輝度が変化してもソレノイド１１８に供給される電流は変化しない。
【００２７】
タイマ回路１０４は、所定の蓄電量を持つコンデンサ１１０と、このコンデンサに直列に接続する抵抗１１２とからなっており、スイッチングトランジスタ１１４のベースがコンデンサ１１０と抵抗１１２との間に接続し、スイッチングトランジスタ１１４のコレクタ側はＳＰＤ１２のアノード側と接続している。
【００２８】
測光スイッチ１００はシャッタボタン１５の押圧動作によってＯＮされ、測光スイッチ１００がＯＦＦからＯＮに切り替わり、測光制御ＩＣ５７の通電が開始されたとき、コンデンサ１１０を介してスイッチングトランジスタ１１４のベースに電流が流れ、ＳＰＤ１２で発生した光電流はスイッチングトランジスタ１１４のコレクタからエミッタに流れる。このため、光電流は増幅回路１０６には流れず、判定回路１０８での判定も行なわれない。スイッチングトランジスタ１１４のエミッタから出力された電流は電池４９に戻る。
【００２９】
測光装置が通電してから時間Ｔｄが経過するまでは、ＳＰＤ１２で発生した光電流はタイマ回路側に流れるが、時間Ｔｄが経過するとコンデンサ１１０の蓄電量が飽和状態に達し、コンデンサ１１０は電流を通さなくなる。このためスイッチングトランジスタ１１４のベース電流が途絶え、スイッチングトランジスタ１１４の動作が停止する。これによりＳＰＤ１２で発生した光電流は増幅回路１０６に流れ、増幅回路１０６で光電流の増幅が開始される。増幅回路１０６は増幅トランジスタで構成されており、光電流の増幅の結果、増幅回路１０６から測光信号が判定回路１０８に入力される。
【００３０】
測光信号が判定回路１０８に入力され、測光信号が所定の値より小さければ、駆動回路１１７にあるソレノイド１１８が通電し、測光信号の値が所定値以上であればソレノイド１１８は通電しない。ソレノイド１１８に電流が流れると、ソレノイド１１８の周辺に磁場が発生し、ソレノイドに組み込まれたプランジャ１１８ａがソレノイド１１８の内部に引き込まれる。すると、絞り切り替えレバー７５が回動し、絞り板６８が挿入位置から退避位置まで移動する。
【００３１】
測光装置の動作について図５のタイミングチャートを参照して説明する。ただし、図５には被写体の輝度が暗く、測光信号が所定値よりも小さな場合を示す。シャッタボタン１５が押下されると、ディレイレバーがチャージ位置からレリーズ位置に向かって移動を開始し、これに応じてスイッチギヤが回動する。スイッチギヤが回動すると、測光スイッチ１００がＯＮされて測光装置へ電力が供給される。測光装置には電力供給用のコンデンサ（図示省略）が備えられており、測光スイッチ１００がＯＮとなっている間に電池４９によって充電され、測光スイッチ１００がＯＦＦした後は電池４９にかわって測光装置に電力を供給する。
【００３２】
測光スイッチ１００がＯＦＦからＯＮへ切り替えられると、電流値が非常に大きな突入電流がＳＰＤ１２で発生する。この突入電流は、測光開始から時間Ｔｄが経過するまでは、トランジスタ１１４が動作しているためにタイマ回路側に流れ、増幅回路１０６に流れることはない。
【００３３】
タイマ回路１０４のコンデンサ１１０は、時間Ｔｄが経過すると電流を通さなくなり、このためスイッチングトランジスタ１１４の動作も停止する。時間Ｔｄが経過するころにはＳＰＤ１２から出力される電流の電流値はＩｒに落ち着いている。スイッチングトランジスタ１１４の動作の停止により、増幅回路１０６にはＳＰＤ１２から光電流が流れるようになり、増幅回路１０６の動作が開始される。
【００３４】
判定回路１０８での測光信号の判定の結果、被写体が暗い場合はソレノイド１１８に電流が流れ（数ｍｓｅｃ程度）、プランジャが引き込まれる。すると、絞り板駆動機構が作動し、絞り板６８が退避位置に回動し、大絞りの状態となる。被写体輝度の判定から絞り板６８の装填までには、時間Ｔｇを要する。また、判定回路１０８での判定は、測光装置がＯＦＦするまで保持されるようになっている。
【００３５】
シャッタボタン１５が押圧された後、シャッタ駆動レバーは、遅延機構によって、測光を開始してから絞り板６８が切り替わるのに十分な時間、チャージ位置に保持されている。そして、絞り板６８の退避に要する時間が経過した後にシャッタ駆動レバーは解放され、チャージ位置からレリーズ位置に移動する。このときシャッタ羽根６２が蹴飛ばされ、シャッタ羽根６２が閉じ位置から開き位置までの往復運動を行う。この往復運動の間に、写真フイルムへの露光が行われる。
【００３６】
シャッタ羽根６２が復動して、シャッタ羽根６２が閉じ位置に戻り、その後、電力供給用のコンデンサの蓄電量がなくなり、測光装置は停止する。絞り板６８は退避したままであるが、次回の写真フイルムの巻き上げ動作時に、挿入位置に再び挿入される。
【００３７】
次に、上記構成の作用について図６のフローチャートを用いて説明する。撮影者は巻き上げノブ２２を回転し、未露光の写真フイルム３２をアパーチャの背後に移送する。巻き上げノブ２２の回転とともにシャッタ駆動レバーがチャージ位置にセットされ、写真フイルムを１コマ分巻き上げると巻き上げノブ２２が爪係止する。
【００３８】
撮影する被写体を決定したら、シャッタボタン１５を押下する。するとスイッチギヤが回動して測光スイッチ１００がＯＮされ、測光制御ＩＣ５７に通電が開始される。コンデンサ１１０が飽和状態に達するまでには時間Ｔｄが必要であり、測光スイッチ１００がＯＮしてから時間Ｔｄが経過するまではスイッチングトランジスタ１１４のベースに電流が流れる。
【００３９】
測光スイッチ１００がＯＮされてから時間Ｔｄの間は、ＳＰＤ１２で発生した光電流はスイッチングトランジスタ１１４のコレクタに流れる。このため測光スイッチ１００をＯＦＦからＯＮに切り替えたときに発生する突入電流は、増幅回路１０６に流れることはない。これにより、光電流の増幅、及び増幅された光電流の判定は実行されず、ソレノイド１１８も動くことはない。
【００４０】
測光スイッチ１００をＯＮして時間Ｔｄが経過すると、電流値が被写体輝度による電流値Ｉｒに落ち着き、またコンデンサ１１０が飽和状態に達して電流を通さなくなる。すると、スイッチングトランジスタ１１４のベース電流が絶たれる。ベース電流が絶たれてスイッチングトランジスタ１１４の動作が停止することにより、ＳＰＤ１２で発生した光電流が増幅回路側に流れ、光電流の増幅が開始される。増幅回路１０６から測光信号が判定回路１０８に入力され、測光信号が所定の電流値より小さいか、あるいは所定値以上かが判定される。所定の値よりも小さければソレノイド１１８が通電する。
【００４１】
ソレノイド１１８が通電することで、プランジャ１１８ａはソレノイド内部に向かって動く。すると絞り板駆動機構が作動して、絞り板６８が退避位置まで回動し、小絞り穴６８ａによる小絞りの状態から、固定絞り枠６５による大絞りの状態となる。その後、遅延機構の動作のためチャージ位置に保持されていたシャッタ駆動レバーが解放されて、シャッタ羽根６２が蹴飛ばされて退避位置まで往復動作する。この間に写真フイルムへの露光が行われる。
【００４２】
シャッタ羽根６２が蹴飛ばされた後、電力供給用のコンデンサの容量がなくなり、測光装置への電力供給が停止し、測光装置がＯＦＦする。
【００４３】
なお、上記の実施例では、タイマ回路のスイッチング素子により、突入電流をタイマ回路側に流して、突入電流の判定を回避したが、図７に示すタイマ回路を用いてもよい。以下にこの回路について説明する。実質的に同じ内容を示すものについては、同じ符号を付してある。
【００４４】
電池４９のプラス端子は測光スイッチ１００に接続しており、スイッチＯＮとともに電源の投入が開始される。測光制御ＩＣはタイマ回路１３９と、スイッチングトランジスタ１４５と、測光回路１５０とから構成され、測光回路１５０は増幅回路１３７と判定回路１４７とからなっている。
【００４５】
タイマ回路１３９は抵抗１４０、コンデンサ１４２とから構成されている。抵抗１４０とコンデンサ１４２とは直列に接続され、抵抗１４０とコンデンサ１４２との間にトランジスタ１４５のベースが接続している。トランジスタ１４５のコレクタは判定回路１４７と接続しており、判定回路１４７の動作を制御している。
【００４６】
測光スイッチ１００がＯＮされると、電池４９からの電流は、抵抗１４０を通過してコンデンサ１４２に蓄電され、トランジスタ１４５のベースには電流が流れない。このためトランジスタ１４５は動作を停止している。コンデンサ１４２の蓄電量が飽和状態に達すると、コンデンサ１４２には電流が流れず、トランジスタ１４５のベースに流れるようになる。するとトランジスタ１４５は動作を開始して、コレクタからエミッタへ電流が流れるようになる。このため判定回路１４７も動作を開始し、増幅回路１３７から出力された測光信号の判定が行われるようになる。判定回路１４７での判定の結果、測光信号が所定値よりも小さいと判定された場合は、ソレノイド１１８が通電し、絞り板が退避する。また、判定の結果、測光信号が所定値以上であれば、絞りは切り替わらない。
【００４７】
上記の実施例では、タイマー回路とスイッチングトランジスタと測光回路とを集積回路化したが、本発明はこれに限らず、タイマー回路とスイッチングトランジスタと測光回路とをディスクリートで製作してもよい。ディスクリートで製作することにより、既存の回路部品を使用することができ、測光装置を安く製造することができる。また、タイマー回路と測光回路とをモジュール化し、小型化を図ることも可能である。
【００４８】
【発明の効果】
以上のように、本発明の測光装置によれば、電源スイッチと、測光素子と、増幅回路と、判定回路と、タイマー回路と、スイッチング回路とを測光装置に設けたことにより、電源スイッチをＯＮしたときに発生する突入電流の判定を回避することができ、被写体の輝度によって生成された光電流を判定することができる。
【図面の簡単な説明】
【図１】本発明を実施した第１実施例のレンズ付きフイルムユニットの斜視図である。
【図２】図１に示したレンズ付きフイルムユニットの分解斜視図である。
【図３】本体基部とレンズユニットとストロボユニットとの分解斜視図である。
【図４】測光スイッチと測光制御ＩＣとを有する測光装置のブロック図である。
【図５】スイッチをＯＦＦからＯＮに切り替えたときの動作のタイミングを示すタイミングチャートである。
【図６】一連の撮影動作の順序を簡単に示したチャートである。
【図７】判定回路の動作を所定の時間だけ禁止するタイマ回路を備えた測光装置の簡単なブロック図である。
【符号の説明】
２  レンズ付きフイルムユニット
４  撮影レンズ
１２  シリコンフォトダイオード（ＳＰＤ）
２７  レンズユニット
２９  ストロボユニット
５７  測光制御ＩＣ
６２  シャッタ羽根
６８  絞り板
１００  測光スイッチ
１０２  測光回路
１０４  タイマ回路
１１４  スイッチングトランジスタ
１１８  ソレノイド
【図１】
2004294715.tif 000003
【図２】
2004294715.tif 000004
【図３】
2004294715.tif 000005
【図４】
2004294715.tif 000006
【図５】
2004294715.tif 000007
【図６】
2004294715.tif 000008
【図７】
2004294715.tif 000009